(57)【要約】【課題】  複数のジョブを並列して実行した際に、複数のジョブの表示を画面分割して同時表示する視認性が良好なシート処理システムを提供する。【解決手段】  複数のジョブを並列して実行可能なシート処理システムで、操作表示装置４００の１つのタッチパネル式ディスプレイの表示枠内に、第１処理及び第２処理の２つのジョブの並列実行中に、各ジョブに関するジョブ表示画面を分割して同時表示する。【選択図】  図２４
2005119138.tif 000002
【特許請求の範囲】
【請求項１】
シート処理機能を有する複数のシート処理装置を備え、
１つのシート処理装置又は複数のシート処理装置の組み合わせにより、シート処理作業単位であるジョブを実行するシート処理システムにおいて、
複数のジョブを並列して実行可能に設けられ、
１つの表示枠内に、複数のジョブの並列実行中に、各ジョブに関するジョブ表示画面を並列実行中のジョブ数に応じて分割して同時表示可能な表示部を備えたことを特徴とするシート処理システム。
【請求項２】
前記ジョブ表示画面は、ジョブについてユーザからの指示を入力可能に設けられ、
複数のジョブの並列実行中に、前記ジョブ表示画面から並列実行中の各ジョブに関する指示を入力可能であることを特徴とする請求項１に記載のシート処理システム。
【請求項３】
前記表示部は、１つの表示枠内に、並列実行中の複数のジョブの前記ジョブ表示画面を２以上に分割して同時表示した時であっても、それぞれの前記ジョブ表示画面ではユーザからの指示の入力が可能であることを特徴とする請求項２に記載のシート処理システム。
【請求項４】
前記ジョブ表示画面は、ジョブについてユーザからの指示を入力可能に設けられ、
１以上のジョブを実行中であっても、ジョブ実行中に不使用の１以上のシート処理装置を用いて他の異なるジョブが実行可能である場合、前記表示部に、並列実行ジョブ受付キーが入力可能に表示されることを特徴とする請求項１、２又は３に記載のシート処理システム。
【請求項５】
前記並列実行ジョブ受付キーが入力された場合、前記表示部の１つの表示枠内に、実行中のジョブの前記ジョブ表示画面と、これから実行しようとするジョブの前記ジョブ表示画面と、を分割表示することを特徴とする請求項４に記載のシート処理システム。
【請求項６】
複数のジョブの並列実行中に、１以上のジョブが異常停止した場合、前記表示部の１つの表示枠内に、異常停止したジョブの前記ジョブ表示画面を、他のジョブの前記ジョブ表示画面よりも表示領域を拡大して表示することを特徴とする請求項１乃至５のいずれか１項に記載のシート処理システム。
【請求項７】
前記表示部の１つの表示枠内での複数の前記ジョブ表示画面の分割表示配置は、並列実行中の各ジョブに用いるシート処理装置の配置と対応していることを特徴とする請求項１乃至６のいずれか１項に記載のシート処理システム。
【発明の詳細な説明】
【技術分野】
【０００１】
本発明は、例えば、シートに画像を形成する画像形成機能、表紙やタブ等を挿入するインサート機能及びシートを整合して束ねる等のステイプル機能等の異なる機能を有する複数のシート処理装置を任意に組み合わせて、製本や画像形成シートの積載等の複数ジョブを並列実行することができるシート処理システムに関する。
【背景技術】
【０００２】
従来、複写機等のシートに画像を形成して出力する画像形成装置に、シートを一時載置するスタッカ装置、シートの先頭頁や途中頁に表紙やタブなどの特殊用紙を挿入するインサータ装置及び多数のシートを整合して束ねるフィニッシャ装置等を一連に接続して、画像形成されたシートに対し、特殊用紙挿入処理、排出処理、折り処理、綴じ処理、製本処理、綴じ孔処理等を一貫して行えるシート処理システムが提供されている。
【０００３】
従来のシート処理システムを図３７に示す。従来のシート処理システムＢは、図中右端の画像形成装置１と、画像形成装置１に隣接して配置され画像形成装置１で画像形成されたシートを一時積載保管するスタッカ装置５０と、スタッカ装置５０に隣接して配置され画像形成装置１から出力されたシートの先頭頁や途中頁等に表紙やタブ等の特殊用紙（例えば、カラーコピー紙）を挿入するインサータ装置６０と、インサータ装置６０に隣接して配置され画像形成装置１やインサータ装置６０から出力される多数のシートを整合して束ねる機能及びパンチ機能等を有するフィニッシャ装置７０と、これらの各装置を貫通する共通のパス９０（図中斜線部）と、を備えている（例えば、特許文献１参照）。
【０００４】
このようなシート処理システムＢは、各装置を任意に組み合わせて、例えば、画像形成装置１で画像が形成されたシートが、インサータ装置６０から挿入される表紙やタブ紙等の特殊用紙と共に、フィニッシャ装置７０において整合及びステイプルされて製本されるまでをシート処理作業単位であるジョブの１つとして実行する。
【０００５】
また、従来の画像形成装置では、様々な複数のコピージョブを連続する場合には、１つの操作表示装置（表示部）の表示枠内全体に表示されるコピージョブの画面をコピージョブごとに切換えて設定するようにしていた（例えば、特許文献２参照）。
【特許文献１】特開２００３-８９４７３号公報
【特許文献２】特開平１１−２１２４０６号公報
【発明の開示】
【発明が解決しようとする課題】
【０００６】
しかしながら、従来のシート処理システムは、１つのジョブの実行中には、その他のジョブを並列して実行することが出来なかった。
【０００７】
即ち、例えば、画像形成装置１及びスタッカ装置５０を組み合わせてシート載置ジョブを実行している間は、インサータ装置６０及びフィニッシャ装置７０が不使用であるにもかかわらず、インサータ装置６０及びフィニッシャ装置７０を稼動させて製本等のその他のジョブを並列して実行することが出来なかった。このため、各装置の機能を時間単位で十分発揮させることができずに、シート処理システム全体の使用効率が低下して、シート処理システムの生産性が低下していた。
【０００８】
そして、シート処理システムでジョブを並列実行することを考えた場合に、特許文献２のように操作表示装置の表示枠内前面のジョブについての画面をジョブごとに切換える方
法を採用するのでは、並列実行している複数のジョブの把握が困難であった。特に、複数のユーザが１つのシート処理システムを共用することもあり、操作表示装置について視認性を向上し、ユーザに誤解させない必要があった。
【０００９】
本発明は、上記した従来のシート処理システムの問題点を解決し、複数のジョブを並列して実行した際に、複数のジョブの表示を画面分割して同時表示する視認性が良好なシート処理システムを提供することを目的とする。
【課題を解決するための手段】
【００１０】
上記目的を達成するために本発明にあっては、シート処理機能を有する複数のシート処理装置を備え、１つのシート処理装置又は複数のシート処理装置の組み合わせにより、シート処理作業単位であるジョブを実行するシート処理システムにおいて、複数のジョブを並列して実行可能に設けられ、１つの表示枠内に、複数のジョブの並列実行中に、各ジョブに関するジョブ表示画面を並列実行中のジョブ数に応じて分割して同時表示可能な表示部を備えたことを特徴とする。
【００１１】
前記ジョブ表示画面は、ジョブについてユーザからの指示を入力可能に設けられ、複数のジョブの並列実行中に、前記ジョブ表示画面から並列実行中の各ジョブに関する指示を入力可能であるとよい。
【００１２】
前記表示部は、１つの表示枠内に、並列実行中の複数のジョブの前記ジョブ表示画面を２以上に分割して同時表示した時であっても、それぞれの前記ジョブ表示画面ではユーザからの指示の入力が可能であるとよい。
【００１３】
前記ジョブ表示画面は、ジョブについてユーザからの指示を入力可能に設けられ、１以上のジョブを実行中であっても、ジョブ実行中に不使用の１以上のシート処理装置を用いて他の異なるジョブが実行可能である場合、前記表示部に、並列実行ジョブ受付キーが入力可能に表示されるとよい。
【００１４】
前記並列実行ジョブ受付キーが入力された場合、前記表示部の１つの表示枠内に、実行中のジョブの前記ジョブ表示画面と、これから実行しようとするジョブの前記ジョブ表示画面と、を分割表示するとよい。
【００１５】
複数のジョブの並列実行中に、１以上のジョブが異常停止した場合、前記表示部の１つの表示枠内に、異常停止したジョブの前記ジョブ表示画面を、他のジョブの前記ジョブ表示画面よりも表示領域を拡大して表示するとよい。
【００１６】
前記表示部の１つの表示枠内での複数の前記ジョブ表示画面の分割表示配置は、並列実行中の各ジョブに用いるシート処理装置の配置と対応しているとよい。
【発明の効果】
【００１７】
本発明のシート処理システムによれば、複数のジョブを並列して実行した際に、複数のジョブの表示を画面分割して同時表示することができ、視認性が良好となる。
【発明を実施するための最良の形態】
【００１８】
本発明のシート処理システムでは、複数のジョブを並列して実行した際に、複数のジョブの表示を行う表示部のタッチパネル式ディスプレイ等の１つの表示枠内に、各ジョブに関するジョブ表示画面を並列実行中のジョブ数に応じて分割して同時表示する。これによって、ユーザは表示部の１つの表示枠内の分割画面の確認だけで同時に並列実行中のジョブが一目で分かり、視認性が良好となる。
【００１９】
したがって、複数のユーザが１つのシート処理システムを共用する場合にも、いずれのユーザも表示部の１つの表示枠内の可動ジョブの確認だけで済み、ユーザに誤解させることがない。
【実施例】
【００２０】
図１は本発明の実施例に係るシート処理システムの内部構成を示す概略構成図である。
【００２１】
本実施例のシート処理システムＡは、それぞれ異なるシート処理機能を有するシート処理装置である画像形成装置１０、スタッカ装置５００、インサータ装置６００、フィニッシャ装置７００を、ここで示した順に直列に接続して構成される。
【００２２】
画像形成装置１０は、原稿の読取りとシートへの画像形成とを行うものであり、シートへ画像形成するプリンタ装置３００と、プリンタ装置３００の上部に搭載され原稿画像を読取るイメージリーダ２００と、イメージリーダ２００の上面に開閉自在に載置される原稿給送装置１００と、イメージリーダ２００の上部に設けられる表示部の一例としての操作表示装置４００と、を備えている。
【００２３】
原稿給送装置１００は、原稿トレイ上に上向きにセットされた複数の原稿を先頭頁から順に一枚ずつ分離して、湾曲したＵ字状パスを介してイメージリーダ２００の原稿画像読取り位置に原稿を搬送して、イメージリーダ２００に流し読みさせる。その後原稿は、原稿給送装置１００の右端に設けられた排紙トレイ１１２に排紙される。
【００２４】
イメージリーダ２００は、原稿の読取りを行うものであり、上面にプラテンガラス１０２を有し、プラテンガラス１０２の下方には、原稿給送装置１００からプラテンガラス１０２上の原稿画像読取り位置に搬送される原稿の画像を読取るスキャナユニット１０４を有している。
【００２５】
ここで、原稿の流し読みは、原稿がプラテンガラス１０２上の原稿画像読取り位置を通過する際に、原稿の読取り面をスキャナユニット１０４に設けられたランプ１０３の光で照射して、当該原稿からの反射光を逐次スキャナユニット１０４に設けられたミラー１０５、イメージリーダ２００に設けられたミラー１０６，１０７によりイメージセンサ１０９に導光して、イメージセンサ１０９で電気信号に変換して読取るものである。つまり、プラテンガラス１０２上の原稿画像読取り位置に対して図中左から右に原稿を搬送させることによって、原稿の搬送方向に対して直交する方向を主走査方向として、原稿画像を主走査方向の１ライン毎にイメージセンサ１０９で読取りながら、原稿の搬送方向を副走査方向として、原稿画像を副走査方向に逐次イメージセンサ１０９で読取って原稿画像全体の読取りが行われる。
【００２６】
イメージセンサ１０９から出力された画像データは、所定の画像処理が施された後にプリンタ装置３００にビデオ信号として入力される。
【００２７】
プリンタ装置３００は、イメージリーダ２００で読取られた原稿の画像データに基づいてシートへの画像形成を行うものであり、イメージセンサ１０９から出力された画像データに基づくビデオ信号が入力されると共に、ビデオ信号に基づいてレーザ光を変調して出力する露光制御部１１０、静電潜像が形成される感光ドラム１１１、露光制御部１１０から出力されるレーザ光を感光ドラム１１１上に走査しながら照射するポリゴンミラー１１０ａ、感光ドラム１１１の下方に配置される転写部１１６に対してシートを給紙するカセット１１４，１１５、手差給紙部１２５及び両面搬送パス１２４、転写部１１６で感光ドラム１１１に形成された現像剤像が転写されたシートを定着する定着部１１７、定着部１
１７を通過したシートをプリンタ装置３００の外部に排出する排出ローラ対１１８、を備えている。
【００２８】
図２は実施例に係るシート処理システムのスタッカ装置５００、インサータ装置６００、フィニッシャ装置７００の内部構成を示す概略構成図である。
【００２９】
〔スタッカ装置５００〕
スタッカ装置５００は、プリンタ装置３００から出力されるシートを一時積載保管するものであり、図２に示すように、プリンタ装置３００から排出されたシートをインサータ装置６００及びフィニッシャ装置７００に導く搬送水平パス５０２、搬送水平パス５０２に設けられシートを搬送する搬送ローラ対５０３，５０４，５０５、搬送水平パス５０２の入口部（プリンタ装置３００側）及び出口部（フィニッシャ装置７００側）に設けられた第１のフラッパ５１０及び第２のフラッパ５０６、シート積載板５２１上にプリンタ装置３００から排出されたシートの保管が可能なシート積載部５３０、プリンタ装置３００から排出されたシートをシート積載部５３０に導くパス５２０、を備えている。
【００３０】
スタッカ装置５００がシート積載処理（ソートやグループ等の積載処理）を行う場合には、第１のフラッパ５１０が搬送水平パス５０２へのシートの通過を遮るように切換えられて、プリンタ装置３００から排出されたシートがパス５２０へ導かれる。パス５２０に導かれたシートは、シート積載部５３０に順次積載される。
【００３１】
また、シート積載部５３０へのシートの積載を行わない場合には、第１のフラッパ５１０がパス５２０へのシートの通過を遮るように切換えられて、プリンタ装置３００から排出されたシートは搬送水平パス５０２を通過してインサータ装置６００及びフィニッシャ装置７００に搬送される。
【００３２】
〔インサータ装置６００〕
インサータ装置６００は、例えば、別途印刷された特殊用紙（例えば、カラーコピー紙）を給紙することや、プリンタ装置３００から出力されるシートの先頭頁や途中頁などに表紙やタブ等の特殊用紙を挿入するものであり、図２に示すように、スタッカ装置５００に設けられた搬送ローラ対５０５から排出されるシートをフィニッシャ装置７００に導く搬送水平パス６１２、搬送水平パス６１２に設けられる搬送ローラ対６０２，６０３，６０４、表紙やタブ等の特殊用紙を収納するシート収納部６３０，６３１，６３２、シート収納部６３０，６３１，６３２でシートが積載される中板６３３，６３４，６３５、シート収納部６３０，６３１，６３２に収納された特殊用紙を搬送水平パス６１２に搬送する給紙分離部６３６，６３７，６３８、シート収納部６３０，６３１，６３２から給紙される特殊用紙を搬送水平パス６１２に導く搬送垂直パス６１１、搬送垂直パス６１１に設けられる搬送ローラ対６４０，６４１，６４２、を備えている。
【００３３】
このようなインサータ装置６００は、プリンタ装置３００から出力されるシートに対して、所望に応じて表紙やタブ紙等の収納している特殊用紙を所定のタイミングで、シート収納部６３０，６３１，６３２から給紙して、プリンタ装置３００から出力されるシートに特殊用紙を挿入することが可能となる。尚、中板６３３，６３４，６３５はシートの積載量に応じて上昇又は下降する。
【００３４】
〔フィニッシャ装置７００〕
フィニッシャ装置７００は、ソート処理、綴じ処理、穴あけ処理等を行うものであり、図２に示すように、インサータ装置６００から出力されたシートを導入するためのフィニッシャパス７１１及び入口ローラ対７０２、インサータ装置６００から出力されたシートをソートせずにサンプルトレイ７２１に搬送するノンソートパス７１２、インサータ装置
６００から出力されたシートをソート処理部に搬送するソートパス７１３、ノンソートパス７１２及びソートパス７１３を選択的に切換える切換えフラッパ７１０、ソート処理や綴じ処理等を行う中間トレイ７３０、中間トレイ７３０上に積載整合されたシートに対して綴じ処理等を行うステイプラ７２０、中間トレイ７３０上でソート処理や綴じ処理等が行われたシートが排出されるスタックトレイ７２２、を備えている。
【００３５】
ソート処理を行わない場合には、切換えフラッパ７１０がソートパス７１３へのシートの通過を遮るように切換えられて、インサータ装置６００から出力されたシートは、ノンソートパス７１２に導かれノンソートパス７１２に設けられた搬送ローラ対７０６及びノンソート排出ローラ対７０３を介してサンプルトレイ７２１上に排出される。
【００３６】
また、ソート処理を行う場合には、切換えフラッパ７１０がノンソートパス７１２へのシートの通過を遮るように切換えられ、インサータ装置６００から出力されたシートは、ソートパス７１３に導かれソート排出ローラ７０４を介して中間トレイ７３０上に束状に積載される。そして、中間トレイ７３０上に積載されたシートは、適宜、整合処理、ステイプル処理又は穴あけ処理等が施された後に排出ローラ対７０５を介してスタックトレイ７２２上に排出される。尚、スタックトレイ７２２は適宜上下方向に自走可能に構成されている。
【００３７】
〔外装カバー構成〕
図３は、画像形成装置１０、スタッカ装置５００、インサータ装置６００及びフィニッシャ装置７００の外装カバーの構成を示す概略構成図である。
【００３８】
本実施例のシート処理システムは、各シート処理装置である画像形成装置１０、スタッカ装置５００、インサータ装置６００及びフィニッシャ装置７００の内部を開放可能とするカバー部材（以下「カバー」という）を備えている。
【００３９】
画像形成装置１０のプリンタ装置３００には、用紙補給部を覆うカバー３５１と、感光ドラム１１１、転写部１１６、定着部１１７、フラッパ１２１及びそれぞれに用紙を導くための搬送パスを覆うカバー３５２と、両面搬送パス１２４を覆うカバー３５３と、が設けられている。カバー３５１、カバー３５２及びカバー３５３はそれぞれ独立に開閉可能である。また、カバー３５１、カバー３５２及びカバー３５３の開閉状態はカバー開閉検知センサ（図示せず）により検知される。
【００４０】
カバー３５１、カバー３５２及びカバー３５３は、ジャム処理時や、部品交換、清掃、調整、用紙補給等のメンテナンス時に開閉される。
【００４１】
スタッカ装置５００には、搬送水平パス５０２を覆うカバー５５１と、シート積載部５３０を覆うカバー５５２と、が設けられている。カバー５５１とカバー５５２は、それぞれ独立に開閉可能である。また、カバー５５１及びカバー５５２の開閉状態は、カバー開閉検知センサＳ５４，Ｓ５５により検知される。
【００４２】
カバー５５１及びカバー５５２は、スタッカ装置５００のジャム処理時や、部品交換、清掃、調整、用紙取り出しなどのメンテナンス時に開閉される。
【００４３】
インサータ装置６００には、水平搬送パス６１２を覆うカバー６５１と、搬送垂直パス６１１を覆うカバー６５２と、シート収納部６３０，６３１，６３２と給紙分離部６３６，６３７，６３８とを覆うカバー６５３と、が設けられている。カバー６５１、カバー６５２及びカバー６５３はそれぞれ独立に開閉可能である。また、カバー６５１、カバー６５２及びカバー６５３の開閉状態はカバー開閉検知センサＳ６４，Ｓ６５，Ｓ６６により
検知される。
【００４４】
カバー６５１、カバー６５２及びカバー６５３は、ジャム処理時や、部品交換、清掃、調整、用紙補給などのメンテナンス時に開閉される。
【００４５】
フィニッシャ装置７００には、フィニッシャパス７１１を覆うカバー７５１と、ノンソートパス７１２を覆うカバー７５２と、ステイプラ７２０を含むステイプル処理部を覆うカバー７５３と、が設けられている。カバー７５１、カバー７５２及びカバー７５３はそれぞれ独立に開閉可能である。また、カバー７５１、カバー７５２及びカバー７５３の開閉状態はカバー開閉検知センサＳ７４，Ｓ７５，Ｓ７６により検知される。
【００４６】
カバー７５１、カバー７５２及びカバー７５３は、ジャム処理時や、部品交換、清掃、調整、用紙補給などのメンテナンス時に開閉される。
【００４７】
〔コントローラの構成〕
図４は実施例に係るシート処理システムを制御するコントローラの全体構成を示すブロック図である。
【００４８】
図４に示すように、コントローラは、ＣＰＵ回路部１５０を有しており、ＣＰＵ回路部１５０は、ＣＰＵ（図示せず）、ＲＯＭ１５１及びＲＡＭ１５２を内蔵する。
【００４９】
ＣＰＵ回路部１５０は、ＲＯＭ１５１に格納されている制御プログラムにより、原稿給送装置制御部１０１、イメージリーダ制御部２０１、画像信号制御部２０２、外部インターフェース２０９、プリンタ装置制御部３０１、操作表示装置制御部４０１、スタッカ装置制御部５０１、インサータ装置制御部６０１、フィニッシャ装置制御部７０１を総括的に制御する。
【００５０】
ＣＰＵ回路部１５０に内蔵されるＲＡＭ１５２は、各制御部等を制御する制御データを一時的に保持し、また、これらの制御に伴う演算処理の作業領域として用いられる。
【００５１】
原稿給送装置制御部１０１は、原稿給送装置１００をＣＰＵ回路部１５０からの指示に基づき駆動制御する。
【００５２】
イメージリーダ制御部２０１は、スキャナユニット１０４及びイメージセンサ１０９等に対する駆動制御を行い、イメージセンサ１０９から出力されたアナログ画像信号を画像信号制御部２０２に転送する。
【００５３】
画像信号制御部２０２は、ＣＰＵ回路部１５０からの指示に基づき、イメージセンサ１０９から転送されたアナログ画像信号をデジタル信号に変換した後に各処理を施し、このデジタル信号をビデオ信号に変換してプリンタ装置制御部３０１に出力する。また、コンピュータ２１０から外部Ｉ／Ｆ２０９を介して入力されたデジタル画像信号に各種処理を施し、このデジタル画像信号をビデオ信号に変換してプリンタ装置制御部３０１に出力する。
【００５４】
プリンタ装置制御部３０１は、画像信号制御部２０２から入力されたビデオ信号に基づき露光制御部１１０を駆動する。
【００５５】
操作表示装置制御部４０１は、画像形成装置１０に備えられた操作表示装置４００とＣＰＵ回路部１５０との間で情報のやり取りを行う。操作表示装置４００は、画像形成に関する各種機能を設定する複数のキー及び各シート処理装置等の設定状態を示す情報を表示
するための表示画面等をタッチパネル式ディスプレイの表示枠内に表示する。操作表示装置４００に表示された各キーの操作に対応するキー信号は、操作表示装置制御部４０１を介してＣＰＵ回路部１５０に出力される。また、操作表示装置制御部４０１は、ＣＰＵ回路部１５０からの信号に基づき対応する情報を操作表示装置４００の表示枠内に表示するように操作表示装置４００を制御する。
【００５６】
スタッカ装置制御部５０１は、スタッカ装置５００に搭載され、ＣＰＵ回路部１５０と情報のやり取りを行うことによりスタッカ装置５００の駆動制御を行う。
【００５７】
インサータ装置制御部６０１は、インサータ装置６００に搭載され、ＣＰＵ回路部１５０と情報のやり取りを行うことによりインサータ装置６００の駆動制御を行う。
【００５８】
フィニッシャ装置制御部７０１は、フィニッシャ装置７００に搭載され、ＣＰＵ回路部１５０と情報のやり取りを行うことによりフィニッシャ装置７００の駆動制御を行う。
【００５９】
〔スタッカ装置制御部の構成〕
図５はスタッカ装置５００を駆動制御するスタッカ装置制御部５０１の構成を示すブロック図である。
【００６０】
図５に示すように、スタッカ装置制御部５０１は、ＣＰＵ５６１、ＲＯＭ５６２及びＲＡＭ５６３等で構成されるＣＰＵ回路部５６０を有する。ＣＰＵ回路部５６０は、通信ＩＣ５６４を介して画像形成装置１０側に設けられたＣＰＵ回路部１５０と通信してデータ交換を行い、ＣＰＵ回路部１５０からの指示に基づきＲＯＭ５６２に格納されている各種プログラムを実行してスタッカ装置５００の駆動制御を行う。また、ＣＰＵ回路部５６０には、搬送中のシートの遅延や滞留ジャムを検知するための各種パスセンサＳ５１，Ｓ５２，Ｓ５３からの検出信号、カバー開閉検知センサＳ５４，Ｓ５５からの検出信号が入力される。
【００６１】
ＣＰＵ回路部５６０には、ドライバ５６５，５６６が接続される。
【００６２】
ドライバ５６５は、ＣＰＵ回路部５６０からの信号に基づき搬送処理モジュールのモータＭ５１、ソレノイドＳＬ５１及びＳＬ５２を駆動する。
【００６３】
ドライバ５６６は、ＣＰＵ回路部５６０からの信号に基づきシート積載処理モジュールのモータＭ５２，Ｍ５３を駆動する。
【００６４】
ここで、搬送処理モジュールは、スタッカ装置５００に設けられた搬送ローラ対５０３，５０４，５０５と、それらの駆動源である水平パス搬送モータＭ５１と、第１のフラッパ５１０の切換を行うソレノイドＳＬ５１及び第２のフラッパ５０６の切換を行うソレノイドＳＬ５２と、により構成される。また、シート積載処理モジュールは、シート積載部５３０を構成するシート積載板５２１の駆動源であるシート積載板モータＭ５２と、パス５２０に設けられた搬送ローラ５２７の駆動源であるシート積載搬送モータＭ５３と、により構成される。
【００６５】
カバー開閉検知センサＳ５４からの検出信号によって、カバー５５１が開状態と検出された場合には、ドライバ５６５の電源がオフにされ、搬送処理モジュールの駆動が強制的に停止される。また同時に、ドライバ５６６の電源もオフされ、シート積載処理モジュールの駆動も強制的に停止される。
【００６６】
一方、カバー開閉検知センサＳ５５からの検出信号によって、カバー５５２が開状態と
検出された場合には、ドライバ５６６の電源のみがオフにされ、シート積載処理モジュールの駆動のみが強制的に停止される。
【００６７】
〔インサータ装置制御部の構成〕
図６はインサータ装置６００を駆動制御するインサータ装置制御部６０１の構成を示すブロック図である。
【００６８】
図６に示すように、インサータ装置制御部６０１は、ＣＰＵ６６１、ＲＯＭ６６２及びＲＡＭ６６３等で構成されるＣＰＵ回路部６６０を有する。ＣＰＵ回路部６６０は、通信ＩＣ６６４を介して画像形成装置１０側に設けられたＣＰＵ回路部１５０と通信してデータ交換を行い、ＣＰＵ回路部１５０からの指示に基づきＲＯＭ６６２に格納されている各種プログラムを実行してインサータ装置６００の駆動制御を行う。また、ＣＰＵ回路部６６０には、パスセンサＳ６１，Ｓ６２，Ｓ６３からの検出信号、カバー開閉検知センサＳ６４，Ｓ６５，Ｓ６６からの検出信号が入力される。
【００６９】
ＣＰＵ回路部６６０には、ドライバ６６５，６６６，６６７が接続される。
【００７０】
ドライバ６６５はＣＰＵ回路部６６０からの信号に基づき水平搬送処理モジュールの水平パス搬送モータＭ６１を駆動する。
【００７１】
ドライバ６６６はＣＰＵ回路部６６０からの信号に基づき垂直搬送処理モジュールの給紙縦パス搬送モータＭ６２を駆動する。
【００７２】
ドライバ６６７はＣＰＵ回路部６６０からの信号に基づき給紙処理モジュールのモータＭ６３，Ｍ６４を駆動する。
【００７３】
ここで、水平搬送処理モジュールは、搬送ローラ対６０２，６０３，６０４と、それらの駆動源である水平パス搬送モータＭ６１と、により構成される。また、垂直搬送処理モジュールは、搬送ローラ対６４１，６４２，６４３と、それらの駆動源である給紙縦パス搬送モータＭ６２と、により構成される。また、給紙処理モジュールは、給紙分離部６３６，６３７，６３８と、それらの駆動源である給紙分離モータＭ６３、中板６３３，６３４，６３５の昇降の駆動源である中板昇降モータＭ６４と、により構成される。
【００７４】
カバー開閉検知センサＳ６４からの検出信号によって、カバー６５１が開状態と検出された場合には、ドライバ６６５の電源がオフにされ、水平搬送処理モジュールの駆動が強制的に停止されると同時に、ドライバ６６６，６６７の電源がオフにされ、インサータ装置６００の全ての駆動が強制的に停止される。
【００７５】
一方、カバー開閉検知センサＳ６５からの検出信号によって、カバー６５２が開状態と検出された場合には、ドライバ６６６の電源がオフにされ、垂直搬送処理モジュールの駆動が強制的に停止されると同時に、ドライバ６６７の電源がオフにされ、給紙処理モジュールの駆動も強制的に停止される。
【００７６】
他方、カバー開閉検知センサＳ６６からの検出信号によって、カバー６５３が開状態と検出された場合、ドライバ６６７の電源がオフにされ、給紙処理モジュールの駆動が強制的に停止される。
【００７７】
〔フィニッシャ装置制御部の構成〕
図７はフィニッシャ装置７００を駆動制御するフィニッシャ装置制御部７０１の構成を示すブロック図である。
【００７８】
図７に示すように、フィニッシャ装置制御部７０１は、ＣＰＵ７６１、ＲＯＭ７６２及びＲＡＭ７６３等で構成されるＣＰＵ回路部７６０を有する。ＣＰＵ回路部７６０は、通信ＩＣ７６４を介して画像形成装置１０側に設けられたＣＰＵ回路部１５０と通信してデータ交換を行い、ＣＰＵ回路部１５０からの指示に基づきＲＯＭ７６２に格納されている各種プログラムを実行してフィニッシャ装置７００の駆動制御を行う。また、ＣＰＵ回路部７６０には、パスセンサＳ７１，Ｓ７２，Ｓ７３からの検出信号、カバー開閉検知センサＳ７４，Ｓ７５，Ｓ７６からの検出信号が入力される。
【００７９】
ＣＰＵ回路部７６０には、ドライバ７６５，７６６，７６７，７６８が接続される。
【００８０】
ドライバ７６５は、ＣＰＵ回路部７６０からの信号に基づき搬送処理モジュールのモータＭ７１及びソレノイドＳＬ７１を駆動する。
【００８１】
ドライバ７６６は、ＣＰＵ回路部７６０からの信号に基づきノンソート排紙処理モジュールのモータＭ７２を駆動する。
【００８２】
ドライバ７６７は、ＣＰＵ回路部７６０からの信号に基づきソート排紙処理モジュールのモータＭ７５，Ｍ７３を駆動する。
【００８３】
ドライバ７６８は、ＣＰＵ回路部７６０からの信号に基づき積載処理モジュールのモータＭ７４を駆動する。
【００８４】
ここで、搬送処理モジュールは、入口ローラ対７０２及びその駆動源である搬送モータＭ７１と、パス切換えフラッパ７１０の切換えを行うソレノイドＳＬ７１と、により構成される。ノンソート排紙処理モジュールは、搬送ローラ対７０６及びノンソート排出ローラ対７０３と、それらの駆動源である排紙モータＭ７２と、により構成される。また、ソート処理モジュールは、ソート排出ローラ７０４及びその駆動源であるソート排紙モータＭ７５と、排出ローラ対７０５及びその駆動源である束搬送モータＭ７３と、により構成される。また、積載処理モジュールは、スタックトレイ７２２及びその駆動源であるトレイ昇降モータＭ７４により構成される。
【００８５】
搬送モータＭ７１、ノンソート排紙モータＭ７２及びソート排紙モータＭ７５はステッピングモータからなり、励磁パルスレートを制御することによって各モータにより駆動するローラ対を等速で回転させたり、独自の速度で回転させたりすることができる。また、束搬送モータＭ７３はＤＣモータからなる。
【００８６】
カバー開閉検知センサＳ７４からの検出信号によりカバー７５１が開状態と検出された場合には、ドライバ７６５の電源がオフにされ、搬送処理モジュールの駆動が強制的に停止されると同時に、ドライバ７６６，７６７，７６８の電源がオフにされ、フィニッシャ装置７００の全ての駆動が強制的に停止される。
【００８７】
一方、カバー開閉検知センサＳ７５からの検出信号によって、カバー７５２が開状態と検出された場合、ドライバ７６６の電源がオフにされ、ノンソート処理モジュールの駆動のみが強制的に停止される。
【００８８】
他方、カバー開閉検知センサＳ７６からの検出信号によって、カバー７５３が開状態と検出された場合、ドライバ７６７の電源がオフにされ、ソート処理モジュールの駆動のみが強制的に停止される。
【００８９】
〔シート処理システムの動作説明〕
次に本実施例に係るシート処理システムの動作について説明する。
【００９０】
本実施例に係るシート処理システムは、原稿の読取りとシートへの画像形成を行う画像形成装置１０と、画像形成装置１０のプリンタ装置３００から出力されたシートに対して様々な後処理を施す後処理装置であるスタッカ装置５００、インサータ装置６００及びフィニッシャ装置７００を任意に組み合わせて、シート処理作業単位であるジョブについて、複数のジョブを並列して実行することが出来るようにしている。
【００９１】
図８は、第１のジョブを説明した図である。第１のジョブは、画像形成装置１０と、スタッカ装置５００、インサータ装置６００及びフィニッシャ装置７００と、を組み合わせて、画像形成装置１０のプリンタ装置３００で画像形成されたシートを、フィニッシャ装置７００で複数頁束ねて綴じ処理を行った後、出力する製本ジョブである。
【００９２】
第１のジョブを実行する場合は、画像形成装置１０に設けられたＣＰＵ１５０がスタッカ装置５００に設けられたＣＰＵ５６１に指令することで、第１のフラッパ５１０が、ソレノイドＳＬ５１によりパス５２０へのシートの通過を遮るように切換えられると共に、搬送処理モジュールのモータＭ５１を動作させて搬送ローラ対５０３，５０４，５０５を駆動する。また、画像形成装置１０に設けられたＣＰＵ１５０がインサータ装置６００に設けられたＣＰＵ６６１に指令して、水平搬送モジュールの水平パス搬送モータＭ６１を動作させて搬送水平パス６１２の搬送ローラ対６０２，６０３，６０４を駆動する。更に、画像形成装置１０に設けられたＣＰＵ１５０がフィニッシャ装置７００に設けられたＣＰＵ７６１に指令することで、切換えフラッパ７１０が、ソレノイドＳＬ７１によりノンソートパス７１２へのシートの通過を遮るように切換えられると共に、搬送処理モジュールの搬送モータＭ７１、ソート排紙モータＭ７５、束搬送モータＭ７３及びトレイ昇降モータＭ７４を動作させて、入口ローラ対７０２、ソート排出ローラ７０４、排出ローラ対７０５、及びスタックトレイ７２２を駆動する。
【００９３】
このようにシート処理システムＡを制御することにより、画像形成装置１０のプリンタ装置３００で画像形成されたシートは、スタッカ装置５００の搬送水平パス５０２及びインサータ装置６００の搬送水平パス６１２を通過して、フィニッシャ装置７００の中間トレイ７３０に搬送され積載される。そして、中間トレイ７３０上に束状に積載されたシートは、整合された後、ステイプラ７２０により綴じ処理を施され、スタックトレイ７２２上に排出される。尚、ステイプラ７２０では、適宜、綴じ処理又は穴あけ処理等を選択可能である。
【００９４】
図９は、第２のジョブを説明した図である。第２のジョブは、画像形成装置１０とスタッカ装置５００と、を組み合わせて、画像形成装置１０のプリンタ装置３００で画像形成されたシートを、スタッカ装置５００に積載するジョブである。スタッカ装置５００に画像形成装置１０から出力されるシートを一時積載することにより、画像形成装置１０とインサータ装置６００及びフィニッシャ装置７００の処理能力の調整制御を行うことが可能となる。
【００９５】
第２のジョブを実行する場合は、画像形成装置１０に設けられたＣＰＵ１５０がスタッカ装置５００に設けられたＣＰＵ５６１に指令することで、第１のフラッパ５１０がソレノイドＳＬ５１により搬送水平パス５０２へのシートの通過を遮るように切換えられると共に、シート積載処理モジュールのモータＭ５３及びシート積載板モータＭ５２を動作させて、搬送パス５２０に設けられた搬送ローラ５２７及びシート積載部５３０を構成するシート積載板５２１を駆動する。
【００９６】
このようにシート処理システムＡを制御することにより、画像形成装置１０のプリンタ装置３００で画像形成されたシートは、搬送パス５２０に導かれて、シート積載部５３０に積載される。この時、シート積載板５２１は、シートの積載量に応じて適宜下降していく。
【００９７】
図１０は、第３のジョブを説明した図である。第３のジョブは、インサータ装置６００及びフィニッシャ装置７００を組み合わせて、インサータ装置６００に収納された特殊用紙（例えば、カラーコピー）をフィニッシャ装置７００で複数頁束ねて綴じ処理を行った後に出力する製本ジョブである。
【００９８】
第３のジョブを実行する場合は、画像形成装置１０に設けられたＣＰＵ１５０がインサータ装置６００に設けられたＣＰＵ６６１に指令して、給紙処理モジュールの給紙分離モータＭ６３及び中板昇降モータＭ６４を動作させて給紙分離部６３６，６３７，６３８及び中板６３３，６３４，６３５を駆動する。更に、画像形成装置１０に設けられたＣＰＵ１５０がフィニッシャ装置７００に設けられたＣＰＵ７６１に指令することで、切換えフラッパ７１０がソレノイドＳＬ７１によりノンソートパス７１２へのシートの通過を遮るように切換えられると共に、搬送処理モジュールの搬送モータＭ７１、ソート排紙モータＭ７５、束搬送モータＭ７３及びトレイ昇降モータＭ７４を動作させて、入口ローラ対７０２、ソート排出ローラ７０４、排出ローラ対７０５及びスタックトレイ７２２を駆動する。
【００９９】
このようにシート処理システムを制御することにより、インサータ装置６００から給紙されたカラーコピー等の特殊用紙は、フィニッシャ装置７００の中間トレイ７３０に搬送され積載される。そして、中間トレイ７３０上に束状に積載された特殊用紙は、整合された後、ステイプラ７２０により綴じ処理等を施されてスタックトレイ７２２上に排出される。尚、ステイプラ７２０では、適宜、綴じ処理又は穴あけ処理等を選択可能である。
【０１００】
図１１は、第４のジョブを説明した図である。第４のジョブは、シート処理システムＡにおいて２つのジョブを並列して実行する動作について説明するものである。
【０１０１】
第４のジョブは、お互いに隣接する２以上のシート処理装置を組み合わせて一つ目のジョブを実行すると共に、先の一つ目のジョブを実行するシート処理装置とは異なるお互いに隣接する２以上のシート処理装置を組み合わせて二つ目のジョブを実行するものである。
【０１０２】
即ち、画像形成装置１０で画像が形成されたシートをスタッカ装置５００に積載する第２のジョブと、インサータ装置６００に収納された特殊用紙をフィニッシャ装置７００で複数頁束ねて綴じ処理を行った後出力する第３のジョブ（製本ジョブ）と、を並列して実行するものである。
【０１０３】
このように、第４のジョブを実行する場合には、第２のジョブを実行するシート処理装置とは異なるお互いに隣接する２以上のシート処理装置を組み合わせて第３のジョブを実行するので、第２のジョブを実行する場合に使用する搬送パス５２０及び搬送ローラ５２７と、第３のジョブを実行する場合に使用する搬送水平パス６１２、搬送ローラ対６０２，６０３，６０４、フィニッシャパス７１１、ソートパス７１３、入口ローラ対７０２、ソート排出ローラ７０４及び排出ローラ対７０５と、が分離されているものである。
【０１０４】
したがって、一方のジョブに使用するシート処理装置が停止していても、他方のジョブに使用するシート処理装置を稼動させて、他方のジョブを実行することが可能となるので、シート処理システムの生産性を向上させることができる。
【０１０５】
また、第４のジョブを実行する場合は、画像形成装置１０に設けられたＣＰＵ１５０がスタッカ装置５００に設けられたＣＰＵ５６１に指令することで、第２のフラッパ５０６がソレノイドＳＬ５２によりインサータ装置６００側へのシートの通過を遮るように切換えられる。このため、第１のフラッパ５１０の動作不良等により、万が一、画像形成装置１０で画像形成されたシートがスタッカ装置５００に積載されずに搬送水平パス５０２側に搬送されてしまっても、第２のフラッパ５０６により、インサータ装置６００側へのシートの流出を防止することができる。したがって、異なったジョブでのシートが混在することを防止して、製本作業の信頼性を向上することができる。その他の動作については第２のジョブ及び第３のジョブと同様であるので説明を省略する。
【０１０６】
なお、画像形成装置１０と、後処理装置であるスタッカ装置５００、インサータ装置６００及びフィニッシャ装置７００と、を任意に組み合わせて、例えば、１つのシート処理装置である画像形成装置１０で原稿読取りジョブまたは画像を形成する印刷ジョブと、インサータ装置６００及びフィニッシャ装置７００を組み合わせて実行する第３のジョブと、を並列して実行するものでも良い。
【０１０７】
更には、第１のジョブと、第３のジョブと、を並列して実行するものでも良い。この場合には、インサータ装置６００に設けられた搬送水平パス６１２、搬送ローラ対６０２，６０３，６０４と、フィニッシャ装置７００の全部と、を共用して２つのジョブを並列して実行することが可能である。また、例えば、第１のジョブの実行中に第３のジョブを割り込ませて実行することもできる。更に、インサータ装置６００の搬送水平パス６１２、搬送ローラ対６０２，６０３，０４を第１のジョブ及び第３のジョブを実行する場合に、交互に使用することもできる。
【０１０８】
〔操作表示装置のディスプレイ表示説明〕
以下に、本実施例に係るシート処理システムの操作表示装置４００における表示画面について図１２〜図３６によって動作順に述べる。
【０１０９】
本実施例の操作表示装置４００は、操作入力キー等の入力手段と入力操作状況等とを表示するタッチパネル式ディスプレイの一つの表示枠と、テンキー、スタートキー、リセットキー等を有する。以後は、処理に応じたフローを参照してタッチパネル式ディスプレイに表示される画面を遷移させて説明を行う。
【０１１０】
まず、図１２に示すようにシートに対するジョブが無い場合には、処理無し状態として図１５に示す待機画面を表示する（Ｓ１２０１）。図１５はシステムが待機している状態を示す画面である。この状態においては、シート処理システムＡは稼動停止状態にあり、システム自体が備える全てのシート処理形態を選択実行可能である。
【０１１１】
そして、待機状態からユーザが１つのジョブを実行する際は、図１５の後処理ボタン４５０等を選択し、処理実行命令をＣＰＵ回路部１５０に伝達し（Ｓ１２０２）、処理入力画面を表示させ（Ｓ１２０３）、画像転写条件（倍率、濃度、画質、用紙選択、後処理条件）を入力する。例えば、後処理ボタン４５０を選択することで、図１６に示す、シート排出箇所を指定する画面に遷移する。図１６では、シートの排出箇所をユーザに選択させる。
【０１１２】
図１６の処理入力画面で、ユーザがシートの排出箇所にフィニッシャ選択ボタン４５１を選択すると、図１７の画面に遷移し、フィニッシャ装置７００で処理する処理形態を選択させ、処理入力を行う。この場合、シート処理システムの一番下流にあるフィニッシャ装置７００を使用するので、このジョブ実行中においては並列処理が実行できず、ディス
プレイ内に並列実行ジョブ受付キーの一例としての並列処理受付ボタンは発生しない。
【０１１３】
図１６の処理入力画面で、ユーザがシートの排出箇所にスタッカ選択ボタン４５２を選択すると、画像形成装置１０及びスタッカ装置５００だけを使用することになり、シート処理システムＡ下流に位置するインサータ装置６００及びフィニッシャ装置７００は使用可能状態になるため、タッチパネル式ディスプレイの１つの表示枠内の隅に並列実行ジョブ受付キーの一例としての並列処理ボタン４５３が発生し（図１８参照）、スタッカ装置５００による排出処理ジョブ（第２のジョブ）実行中、この並列処理ボタン４５３はディスプレイ画面内に発生し続け、並列処理を受け付け可能状態であることを表示し続ける。このような並列処理ボタン４５３は、ユーザの選択ジョブによってＣＰＵ回路部１５０がシート処理システムＡのシート処理装置の組み合わせによって並列して実行可能なジョブが存在するかどうか判断し、他のジョブが並列して実行可能な場合に発生させる。
【０１１４】
次に、図１２に引き続く、一般的なジョブの処理入力について図１３を用いて説明する。
【０１１５】
排出箇所が決定した後（処理入力）、ジョブの処理内容を選択する処理内容選択画面を表示し、処理内容を決定する（Ｓ１３０１）。処理内容選択画面としては、図１７や図１８の各画面が表示される。図１７の処理内容選択画面内では、まず処理形態を選択し、選択ボタンで間違いがなければ、ＯＫボタンを選択する。
【０１１６】
図１７の処理内容選択画面で、ＯＫボタンを選択すると、図１９の処理部数入力画面に遷移する（Ｓ１３０２）。図１９の処理部数入力画面では、出力束の必要部数をディスプレイの隣に設けられているテンキーで入力し、入力した部数で間違いがなければ、ＯＫボタンを選択する。
【０１１７】
図１９の処理部数入力画面で、ＯＫボタンを選択すると、図２０の設定内容を確認するプレビュー画面に遷移する（Ｓ１３０３）。プレビュー画面では、ユーザが入力ジョブ設定を確認し、間違いがなければ、処理開始ボタンを選択、または、ディスプレイ外の不図示のスタートキーをＯＮする。
【０１１８】
図２０の処理開始ボタンを選択、または、スタートキーをＯＮすることで、設定されたジョブが開始される。ジョブが開始されると、図２１の処理実行画面に遷移する（Ｓ１３０４）。図２１の処理実行画面では、処理条件、処理枚数、処理時間、稼動システムの情報が視認できるようになっている。
【０１１９】
ここで、処理実行中にシートジャム等の異常が発生するかどうかは常時ＣＰＵ回路部１５０が検知を行い（Ｓ１３０５）、異常を検知した場合には、ジョブの処理を一旦停止し、自動的に図２２のエラー画面を表示し、処置方法等を指示する内容を示してユーザにエラーの回復を促す（Ｓ１３０６）。処置が済み、エラーが回復した場合には、画面は図２１の処理実行画面に戻り、中断していた処理を引き続き実行する。
【０１２０】
そして、ジョブを完了する。ジョブが正常終了すると、図１５の待機画面に戻る。
【０１２１】
以上のように、図１６でフィニッシャ選択ボタン４５１を選択した場合を説明したが、図１６でスタッカ選択ボタン４５２を選択した場合でも、図１３の同様の画面遷移を行わせるフローを辿る。
【０１２２】
ただし、スタッカ選択ボタン４５２を選択した場合には、フロー実行中、前述したように、いずれのディスプレイの表示画面内に、図１８に代表して示されるような並列処理ボ
タン４５３が常時表示され続ける。例えば、図２３はスタッカ装置５００による排出処理ジョブ（上記第２のジョブであり、以下第１処理と称す）のみ実行中の処理実行画面である。この図２３の処理実行画面では、処理条件、処理枚数、処理時間、稼動システムの情報が視認できるようになっており、また並列処理ボタン４５３も表示されている。
【０１２３】
そして、図２３の第１処理中の処理実行画面で、並列処理ボタン４５３を押下することによって、上記第４のジョブに代表される他のジョブを並列して実行する並列処理が行われる。図２３の第１処理中に、他のユーザが並列処理ボタン４５３を押して、フィニッシャ装置７００による排出処理ジョブ（上記第３のジョブであり、以下第２処理と称す）を入力した場合、図２４のように、１つのディスプレイの表示枠内でジョブ毎に画面が分割表示され、同時に２つのジョブに対する入力が可能になる。
【０１２４】
この図２４の分割表示時、ディスプレイの初期画面分割は使用装置の配列方向に一致するように分割されるようになっている。つまり、画像形成装置１０及びスタッカ装置５００を使用する第１処理は、画像形成装置１０及びスタッカ装置５００がシート処理システムＡ全体から見て右側上流に配置されているため、ディスプレイの表示枠内の分割表示画面も右側に設けられる。また、インサータ装置６００及びフィニッシャ装置７００を使用する第２処理は、インサータ装置６００及びフィニッシャ装置７００がシート処理システムＡ全体から見て左側下流に配置されているため、ディスプレイの表示枠内の分割表示画面も左側に設けられる。
【０１２５】
また、図２４の第１、第２処理の分割表示画面それぞれの全表示ボタン４５４，４５５を選択することによって、図２５に示すようなタブ切換え式で選択した第１、第２処理のいずれかのジョブ側が全画面表示されるような表示も可能である。図２５の一つの処理の全画面表示状態では、分割表示選択ボタン４５６が存在し、このボタンを選択することによって、再度、図２４のような分割表示に切換えることができる。
【０１２６】
並列処理における第２処理のジョブの並列処理入力については図１４を用いて説明する。
【０１２７】
並列処理を行うことを決定した後（並列処理入力）、第２処理のジョブの並列処理内容を選択する画面を表示し、並列処理内容を決定する（Ｓ１４０１）。並列処理内容選択画面としては、図２５の全画面表示した並列処理内容画面が表示される。図２５の並列処理内容選択画面内では、まず処理形態を選択し、選択ボタンで間違いがなければ、ＯＫボタンを選択する。なお、図２５の画面は第２処理を全画面表示した状態であるが、第１処理との分割表示を行った状態でも入力可能である。
【０１２８】
図２５の並列処理内容選択画面で、ＯＫボタンを選択すると、図２６の給紙形態選択画面に遷移する（Ｓ１４０２）。図２６の給紙形態選択画面では、第２処理のジョブ（第３のジョブ）の給紙形態を選択させる。インサータ装置６００の給紙カセットにセットされたシート束が丁合済みで所望の順序に予め並んでいる束を用いるのであれば、給紙箇所は１箇所でいいため、１箇所給紙ボタン４５７を選択する。また、インサータ装置６００の給紙カセットにセットされたシート束が複数あってシート束内は同種で丁合を行う必要がある場合は、複数箇所給紙ボタン４５８を選択する。なお、図２６の画面は第２処理を全画面表示した状態であるが、第１処理との分割表示を行った状態でも入力可能である。
【０１２９】
図２６の給紙形態選択画面で、給紙形態の選択が終了すると、図２７の給紙用紙選択画面に遷移する（Ｓ１４０３）。図２７の給紙用紙選択画面では、給紙順序、給紙箇所の指定、シートの種類、それぞれの給紙枚数等の給紙条件を入力する。なお、図２７の画面は第２処理を全画面表示した状態であるが、第１処理との分割表示を行った状態でも入力可
能である。
【０１３０】
図２７の給紙用紙選択画面で、給紙条件を入力し、閉じるキーを選択すると、図２８の並列処理部数入力画面に遷移する（Ｓ１４０４）。図２８の並列処理部数入力画面では、第２処理のトータルの束部数を入力する画面であり、必要部数をディスプレイの隣に設けられているテンキーで入力し、入力した部数で間違いがなければ、ＯＫボタンを選択する。
【０１３１】
図２８の並列処理部数入力画面で、ＯＫボタンを選択すると、図２９の設定内容を確認するプレビュー画面に遷移する（Ｓ１４０５）。図２９のプレビュー画面は、入力した条件を確認する画面で、シート処理の種類、処理時間、給紙設定がプレビューされる確認画面である。図２９のプレビュー画面で、設定手直しがあれば戻るボタン４５９で図２８へ戻り、ＯＫであれば処理開始ボタン４６０を選択する。
【０１３２】
図２９の処理開始ボタン４６０を選択すると、第２処理が第１処理と同時に開始され、同時に表示枠内画面は図３０へ遷移する（Ｓ１４０６）。図３０の並列処理実行画面は、第１処理（第２のジョブ）と、第２処理（第３のジョブ）とが同時実行されている画面であり、入力時と同様に１つのディスプレイの表示枠内で分割表示され、２つの処理状況が同時に確認できるようになっている。
【０１３３】
また、図３０の画面上の画面分割変更ボタン４６１によって、図３１のように、上下分割画面に表示切換えも可能である。また、ユーザが車椅子等の身体障害者であった場合に、操作表示装置４００のディスプレイを下方に設置することで、ユーザビリティも向上することができる。
【０１３４】
図３１の画面中に再度画面分割変更ボタン４６２を選択することによって、再び図３０のような左右分割表示への切換えも可能である。図３０、図３１の並列処理実行画面では、処理条件、処理枚数、処理時間、稼動システムの情報が視認できるようになっている。
【０１３５】
ここで、並列処理実行中にシートジャム等の異常が発生するかどうかは常時ＣＰＵ回路部１５０が検知を行い（Ｓ１４０７）、異常を検知した場合には、ジョブの処理を一旦停止し、自動的にエラー画面を表示し、処置方法等を指示する内容を示してユーザにエラーの回復を促す（Ｓ１４０８）。
【０１３６】
以下にエラー画面の類型を示す。図３２は第１処理、第２処理が並列処理中に片方のジョブ（第１処理）で紙詰まり、故障等で異常停止した場合の画面である。このとき、停止側の第１処理の処理指示画面が稼動中の第２処理の処理状況表示画面より大きく表示される。これによって、稼動中の第２処理の最低限の情報提示をユーザに確保しながら停止側の第１処理の処置に対してユーザの処理操作性を向上させることを実現させている。
【０１３７】
また、図３２の画面で全表示ボタン４６３を選択することによって、図３３のようにタブ切換え方式で、停止側第１処理を全画面表示させることも可能である。
【０１３８】
図３４は第１処理、第２処理の両方が紙詰まり、故障等で異常停止した場合の画面である。片方の処理でのエラー処置が完了した時点で、片方の処理が再開され、図３２、図３３のエラー画面の表示状態に戻る。そして、両方の処理でのエラー処置が完了すると、両方の処理が再開され、図３０、図３１の並列処理実行画面に戻る。
【０１３９】
以上のエラー画面においてはエラー処置が済み、エラーが回復した場合には、画面は図３０〜図３３の画面に戻り、中断していた処理を順次引き続き実行する。
【０１４０】
そして、片方のジョブを完了する（Ｓ１４０９）。片方の処理のジョブが正常終了すると、例えば図３５に示すように、第１ジョブが終了した後は、自動的に第２ジョブが全画面表示に切り替わり、並列処理ボタン４５３が復活表示される（Ｓ１４１０）。
【０１４１】
なお、上記実施例では、並列処理可能な状態に限って、並列処理ボタン４５３を表示させ、並列処理を実施できるようにした。しかし、予約という概念で、並列処理できなくてもジョブを順次受け付けておくこともできる。図３６は分割画面で１つのジョブの進行状況とジョブ予約状況を同時に表示している画面である。表示枠内での画面分割は、複数の実行ジョブの並列表示だけに限られず、図３６のように、実行ジョブと予約ジョブ状況という組み合わせで同時表示も可能である。また、複数ジョブの並列処理時においても、画面の切換えで、予約ジョブ状況表示画面との分割表示も可能である。
【０１４２】
前述した実施例をまとめると下記の通りである。
【０１４３】
（１）本実施例に係るシート処理システムＡは、異なるシート処理機能を有する複数のシート処理装置（１０，５００，６００，７００，）を備え、１つのシート処理装置又は複数のシート処理装置の組み合わせにより、シート処理作業単位であるジョブを実行するシート処理システムにおいて、複数のジョブを並列して実行可能に設けられ、１つの表示枠内に、複数のジョブの並列実行中に、各ジョブに関するジョブ表示画面を並列実行中のジョブ数に応じて分割して同時表示可能な表示部（操作表示装置４００）を備えた。
【０１４４】
（２）（１）記載のシート処理システムＡにおいて、前記ジョブ表示画面は、ジョブについてユーザからの指示を入力可能に設けられ、複数のジョブの並列実行中に、前記ジョブ表示画面から並列実行中の各ジョブに関する指示を入力可能である。
【０１４５】
（３）（２）記載のシート処理システムＡにおいて、本実施例に係るシート処理システムは、前記表示部は、１つの表示枠内に、並列実行中の複数のジョブの前記ジョブ表示画面を２以上に分割して同時表示した時であっても、それぞれの前記ジョブ表示画面ではユーザからの指示の入力が可能である。
【０１４６】
（４）（１）〜（３）記載のシート処理システムＡにおいて、前記ジョブ表示画面は、ジョブについてユーザからの指示を入力可能に設けられ、１以上のジョブを実行中であっても、ジョブ実行中に不使用の１以上のシート処理装置を用いて他の異なるジョブが実行可能である場合、前記表示部に、並列実行ジョブ受付キー（並列処理ボタン）が入力可能に表示される。
【０１４７】
（５）（４）記載のシート処理システムＡにおいて、前記並列実行ジョブ受付キーが入力された場合、前記表示部の１つの表示枠内に、実行中のジョブの前記ジョブ表示画面と、これから実行しようとするジョブの前記ジョブ表示画面と、を分割表示する。
【０１４８】
（６）（１）〜（５）記載のシート処理システムＡにおいて、複数のジョブの並列実行中に、１以上のジョブが異常停止した場合、前記表示部の１つの表示枠内に、異常停止したジョブの前記ジョブ表示画面を、他のジョブの前記ジョブ表示画面よりも表示領域を拡大して表示する。
【０１４９】
（７）（１）〜（６）記載のシート処理システムにおいて、前記表示部の１つの表示枠内での複数の前記ジョブ表示画面の分割表示配置は、並列実行中の各ジョブに用いるシート処理装置の配置と一致している。
【図面の簡単な説明】
【０１５０】
【図１】図１は実施例に係るシート処理システムの内部構成を示す概略構成図である。
【図２】図２は実施例に係るシート処理システムの内部構成を示す概略構成図である。
【図３】図３は実施例に係るシート処理システムのカバー部材の配置を示す概略構成図である。
【図４】図４は実施例に係るシート処理システムを制御するコントローラの全体構成を示すブロック図である。
【図５】図５は実施例に係るスタッカ装置を駆動制御するスタッカ装置制御部の構成を示すブロック図である。
【図６】図６は実施例に係るインサータ装置を駆動制御するインサータ装置制御部の構成を示すブロック図である。
【図７】図７は実施例に係るフィニッシャ装置を駆動制御するフィニッシャ制御部の構成を示すブロック図である。
【図８】図８は実施例に係るシート処理システムの動作について説明した図である。
【図９】図９は実施例に係るシート処理システムの動作について説明した図である。
【図１０】図１０は実施例に係るシート処理システムの動作について説明した図である。
【図１１】図１１は実施例に係るシート処理システムの動作について説明した図である。
【図１２】図１２は実施例に係るシート処理システムの画面遷移のフローである。
【図１３】図１３は実施例に係るシート処理システムの処理における画面遷移のフローである。
【図１４】図１４は実施例に係るシート処理システムの並列処理における画面遷移のフローである。
【図１５】図１５は実施例に係るシート処理システムの表示枠内の画面である。
【図１６】図１６は実施例に係るシート処理システムの表示枠内の画面である。
【図１７】図１７は実施例に係るシート処理システムの表示枠内の画面である。
【図１８】図１８は実施例に係るシート処理システムの表示枠内の画面である。
【図１９】図１９は実施例に係るシート処理システムの表示枠内の画面である。
【図２０】図２０は実施例に係るシート処理システムの表示枠内の画面である。
【図２１】図２１は実施例に係るシート処理システムの表示枠内の画面である。
【図２２】図２２は実施例に係るシート処理システムの表示枠内の画面である。
【図２３】図２３は実施例に係るシート処理システムの表示枠内の画面である。
【図２４】図２４は実施例に係るシート処理システムの表示枠内の画面である。
【図２５】図２５は実施例に係るシート処理システムの表示枠内の画面である。
【図２６】図２６は実施例に係るシート処理システムの表示枠内の画面である。
【図２７】図２７は実施例に係るシート処理システムの表示枠内の画面である。
【図２８】図２８は実施例に係るシート処理システムの表示枠内の画面である。
【図２９】図２９は実施例に係るシート処理システムの表示枠内の画面である。
【図３０】図３０は実施例に係るシート処理システムの表示枠内の画面である。
【図３１】図２７は実施例に係るシート処理システムの表示枠内の画面である。
【図３２】図３２は実施例に係るシート処理システムの表示枠内の画面である。
【図３３】図３３は実施例に係るシート処理システムの表示枠内の画面である。
【図３４】図３４は実施例に係るシート処理システムの表示枠内の画面である。
【図３５】図３５は実施例に係るシート処理システムの表示枠内の画面である。
【図３６】図３６は実施例に係るシート処理システムの表示枠内の画面である。
【図３７】図３７は従来のシート処理システムの構成を示す概略構成図である。
【符号の説明】
【０１５１】
１０  画像形成装置
３００  プリンタ装置
４００  操作表示装置
５００  スタッカ装置
６００  インサータ装置
７００  フィニッシャ装置
Ａ  シート処理システム
【図１】
2005119138.tif 000003
【図２】
2005119138.tif 000004
【図３】
2005119138.tif 000005
【図４】
2005119138.tif 000006
【図５】
2005119138.tif 000007
【図６】
2005119138.tif 000008
【図７】
2005119138.tif 000009
【図８】
2005119138.tif 000010
【図９】
2005119138.tif 000011
【図１０】
2005119138.tif 000012
【図１１】
2005119138.tif 000013
【図１２】
2005119138.tif 000014
【図１３】
2005119138.tif 000015
【図１４】
2005119138.tif 000016
【図１５】
2005119138.tif 000017
【図１６】
2005119138.tif 000018
【図１７】
2005119138.tif 000019
【図１８】
2005119138.tif 000020
【図１９】
2005119138.tif 000021
【図２０】
2005119138.tif 000022
【図２１】
2005119138.tif 000023
【図２２】
2005119138.tif 000024
【図２３】
2005119138.tif 000025
【図２４】
2005119138.tif 000026
【図２５】
2005119138.tif 000027
【図２６】
2005119138.tif 000028
【図２７】
2005119138.tif 000029
【図２８】
2005119138.tif 000030
【図２９】
2005119138.tif 000031
【図３０】
2005119138.tif 000032
【図３１】
2005119138.tif 000033
【図３２】
2005119138.tif 000034
【図３３】
2005119138.tif 000035
【図３４】
2005119138.tif 000036
【図３５】
2005119138.tif 000037
【図３６】
2005119138.tif 000038
【図３７】
2005119138.tif 000039